(57)【要約】【課題】言語として日本語が選択されたにもかかわらず、日本語印刷用フォントがない場合、誤った印刷データを生成することをなくす。【解決手段】メニュー設定情報を印刷するのに使用される言語を特定する言語特定手段８と、言語特定手段８により特定された言語に対応する印刷用フォント１３、１４に基づいて、メニュー設定情報の印刷データを生成するメニュー印刷データ生成手段１１と、メニュー印刷データ生成手段１１により生成されたメニュー設定情報の印刷データを媒体へ印刷する画像形成部１５を有し、更に、メニュー印刷データ生成手段１１は、言語特定手段８により特定された言語に対応する日本語印刷用フォント１４が存在しない場合、ヘボン式ローマ字に基づいて印刷データを生成する。【選択図】    図1
2015205501.tif 000002
【特許請求の範囲】
【請求項１】
メニュー設定情報を印刷するのに使用される言語を特定する言語特定手段と、
前記言語特定手段により特定された言語に対応する印刷用フォントに基づいて前記メニュー設定情報の印刷データを生成するメニュー印刷データ生成手段と、
前記メニュー印刷データ生成手段により生成された前記メニュー設定情報の印刷データを媒体へ印刷する画像形成部を有し、
更に、前記メニュー印刷データ生成手段は、前記言語特定手段により特定された言語に対応する前記印刷用フォントが存在しない場合、存在しない当該印刷用フォントの言語とは異なる他の言語に対応する前記印刷用フォントに基づいて前記メニュー設定情報の前記印刷データを生成することを特徴とする画像形成装置。
【請求項２】
Ａ国語による前記メニュー設定情報とともに、Ａ国語の文字を使用してＢ国語の発音を表記した所定の単語による前記メニュー設定情報を有するメニュー印刷情報格納部を備え、
前記メニュー印刷データ生成手段は、前記言語特定手段により特定されたＢ国語に対応するＢ国語のフォントが存在しない場合、前記メニュー印刷情報格納部に有する前記所定の単語による前記メニュー設定情報の印刷データを生成することを特徴とする請求項１に記載する画像形成装置。
【請求項３】
前記Ａ国語は英語であり、前記Ｂ国語は日本語であり、
かつ、前記所定の単語とは、英語の文字を使用して日本語の発音を表記したヘボン式ローマ字表記又は訓令式ローマ字表記の単語であることを特徴とする請求項２に記載する画像形成装置。
【請求項４】
メニュー設定情報の印刷のためメニュー文字列を格納したメニュー印刷情報格納部を有し、
前記メニュー印刷データ生成手段は前記メニュー印刷情報格納部から前記メニュー設定情報の印刷データを生成することを特徴とする請求項１乃至３いずれか一記載の画像形成装置。
【請求項５】
前記メニュー設定情報を表示する表示部を有し、
更に、前記言語特定手段は、前記表示部に表示する言語を特定するものとし、
前記言語特定手段により特定された言語に対応する表示用フォントに基づいて前記メニュー設定情報の表示データを生成する表示制御手段を有することを特徴とする請求項１記載の画像形成装置。
【発明の詳細な説明】
【技術分野】
【０００１】
本発明は画像形成装置に関するものである。
【背景技術】
【０００２】
従来、画像形成装置において、装置状態や設定状況を確認するためにメニュープリントを行うものとして、特開平８−５８１９６号公報（特許文献１）があった。特開平８−５８１９６号公報（特許文献１）の図５には、工場出荷時におけるコントロールメニュー設定表が記載されている。これはプリンタが記憶しているメニュー設定内容を印字する機能を使用したときの印字結果である。印字結果には、メニュー項目及びその設定値が一行毎に印字され、プリンタを使用するユーザは使用するプリンタの設定状況を確認することができる。
【先行技術文献】
【特許文献】
【０００３】
【特許文献１】特開平８−５８１９６号公報
【発明の概要】
【発明が解決しようとする課題】
【０００４】
しかしながら、従来の技術によれば、日本語印刷用フォントなど脱着可能な装置において、日本語印刷用フォントがない場合、メニュー設定情報の印刷データの生成もととなるフォントが存在しないので、誤った印刷データが生成されることによってゴミ印刷となり、用紙が無駄に消費されるという問題があった。
【０００５】
本発明が解決しようとする課題は、言語として日本語が選択されたにもかかわらず、日本語印刷用フォントがない場合、ゴミ印刷を行わず、用紙が無駄に消費されることがない画像形成装置を提供ことを可能とするものである。
【課題を解決するための手段】
【０００６】
上記課題を解決するために本発明に関する画像形成装置は、メニュー設定情報を印刷するのに使用される言語を特定する言語特定手段と、前記言語特定手段により特定された言語に対応する印刷用フォントに基づいて前記メニュー設定情報の印刷データを生成するメニュー印刷データ生成手段と、前記メニュー印刷データ生成手段により生成された前記メニュー設定情報の印刷データを媒体へ印刷する画像形成部を有し、更に、前記メニュー印刷データ生成手段は、前記言語特定手段により特定された言語に対応する前記印刷用フォントが存在しない場合、存在しない当該印刷用フォントの言語とは異なる他の言語に対応する前記印刷用フォントに基づいて前記メニュー設定情報の前記印刷データを生成することを特徴とするものである。
【発明の効果】
【０００７】
上記構成を有する本発明によれば、言語として日本語が選択され、日本語印刷用フォントがない場合でも、誤った印刷データを生成することによってゴミ印刷をなくし、用紙が無駄に消費されない画像形成装置を提供することが可能になる。
【図面の簡単な説明】
【０００８】
【図１】第１の実施の形態に関する画像形成装置の構成を示すブロック図である。
【図２】第１の実施の形態における表示入力部の外観図である。
【図３】第１の実施の形態に関するメニュー表示情報格納部の構成を示した説明図である。
【図４】第１の実施の形態に関するメニュー印刷情報格納部の構成を示した説明図である。
【図５】第１の実施の形態に関するメニュー制御部におけるメニュー設定処理を示すフローチャートである。
【図６】第１の実施の形態に関するメニュー設定処理におけるメニュー表示文字列生成処理を示すフローチャートである。
【図７】第１の実施の形態に関する画像形成装置のメイン制御部におけるメニュー印刷処理を示すフローチャートである。
【図８】第１の実施の形態に関するメニュー印刷データ生成部におけるメニュー印刷データ生成処理を示すフローチャートである。
【図９】第１の実施の形態に関する表示言語設定情報にて、英語が設定されたときのメニュー印刷結果の例を示す説明図である。
【図１０】第１の実施の形態に関する表示言語設定情報にて、日本語が設定され漢字印刷用フォントありのときのメニュー印刷結果の例を示す説明図である。
【図１１】第１の実施の形態に関する表示言語設定情報にて、日本語が設定され漢字印刷用フォントなしのときのメニュー印刷結果の例を示す説明図である。
【発明を実施するための形態】
【０００９】
（第１の実施の形態）
以下、本発明の第１の実施の形態について説明する。図１は第１の実施の形態に関する画像形成装置の構成を示すブロック図である。画像形成装置１００は、ユーザインターフェイスである表示入力部１、表示入力部１と接続され表示入力部１を制御する表示入力制御部４を有する。表示入力制御部４は、画像形成装置１００の装置状態及び表示言語等の設定を表示・変更可能とする。更に、画像形成装置１００は、図示しない用紙に画像を形成する画像形成部１５、表示入力制御部４を制御し画像形成装置１００の機能を実現するメイン制御部１０から構成される。メイン制御部１０は、画像形成部１５及び前記表示入力制御部４と接続される。
【００１０】
表示入力部１は、ユーザからの要求を受付ける入力部２、画像形成装置１００の装置状態及び表示言語によるメニュー設定情報をユーザへ表示する表示部３から構成される。表示入力制御部４は、メニュー表示データとしてのメニュー文字列を格納した後述するメニュー表示情報格納部６、メニュー表示用のフォントを格納した表示用フォント７、現在の設定値を保持するメニュー設定記録部８、及びこれらを利用してユーザに対してメニュー設定情報の表示と更新を可能とするメニュー制御部５がある。
【００１１】
メニュー制御部５は、メニュー表示情報格納部６、表示用フォント７及びメニュー設定記録部８と接続され後述するメニュー設定処理を実行する。メニュー設定記録部８はユーザにより設定が変更された場合に変更された設定値を特定するためこれを保持する。また、メニュー設定記録部８は、メニュー制御部５によって表示言語として設定される表示言語設定情報を特定するためこれを保持する。メニュー設定記録部８が保持する表示に関する表示言語設定情報は、例えば、英語及び日本語である。
【００１２】
メイン制御部１０は、メニュー設定情報の印刷のためメニュー文字列を格納した後述するメニュー印刷情報格納部１２、メニュー印刷用のフォントである英語印刷用フォント１３及び日本語印刷用フォント１４を有する。更に、メイン制御部１０は、英語印刷用フォント１３及び日本語印刷用フォント１４に基づいてメニュー設定情報の印刷データを生成するメニュー印刷データ生成手段としてのメニュー印刷データ生成部１１を有する。また、メニュー印刷データ生成部１１はメニュー印刷情報格納部１２、メニュー設定記録部８、英語印刷用フォント１３及び日本語印刷用フォント１４と接続される。メニュー印刷データ生成部１１により生成されたメニュー設定情報の印刷データは前記画像形成部１５に送られ、用紙に印刷される。
【００１３】
メニュー設定記録部８は、前述のようにユーザにより設定が変更された場合に変更された設定値を特定するためこれを保持する。また、メニュー設定記録部８は、メニュー印刷データ生成部１１によって印刷言語として設定される印刷言語設定情報も特定するためこれを保持する。メニュー設定記録部８が保持する印刷に関する印刷言語設定情報は、例えば、英語、日本語及び後述するヘボン式ローマ字である。よって、メニュー設定記録部８はメニュー設定情報を印刷するのに使用される言語を特定する言語特定手段として機能する。英語印刷用フォント１３は、言語特定手段としてのメニュー設定記録部８によって英語又はヘボン式ローマ字が特定されたとき、これに対応することになる。日本語印刷用フォント１４は、言語特定手段としてのメニュー設定記録部８によって日本語が特定されたとき、これに対応することになる。
【００１４】
英語印刷用フォント１３には、Ａ、Ｂ、Ｃ・・・からなるローマ字の大文字及び小文字からなるフォントが格納され、これによって英語を印刷することが可能になる。また、日本語印刷用フォント１４には漢字、ひらがな、カタカナからなるフォントが格納され、これによって日本語を印刷することが可能になる。また、後述するヘボン式ローマ字は、日本語の発音をローマ字で表記するためのルールに基づくものである。従って、その文字はＡ、Ｂ、Ｃ・・・からなるローマ字からなる。例えば「ＹＯＵＳＨＩ  ＮＯ  ＳＥＴＴＥＩ」（英語ではＰａｐｅｒ  Ｓｅｔｕｐ）である。
なお、画像形成装置１００は、日本語印刷用フォント１４が存在しない場合があるものとする。また、前記表示用フォント７には図示しない英語表示用フォント及び日本語表示用フォントの両者が格納されているものとする。
【００１５】
本実施の形態は、言語特定手段としてのメニュー設定記録部８によって特定された言語が日本語であるにもかかわらず、日本語印刷用フォント１４が存在しない場合、日本語印刷用フォント１４に対応する日本語とは異なる他の言語、即ち英語に対応する英語印刷用フォント１３にもとづいてメニュー設定情報の印刷データを生成する。具体的にはヘボン式ローマ字によって印刷データを作成する。
【００１６】
図２は、第１の実施の形態における表示入力部の外観図である。表示入力部１においてメニュー設定が実行されている画面を示す。表示入力部１は、ユーザに装置状態やメニュー設定情報を表示する表示部３及びユーザからの要求を受付ける入力部２から構成される。表示部３には、表示される内容のタイトル表示２０、メニュー項目２１（以後、アイテム２１という）及びアイテム２１に対する設定値２２（以後、セレクション２２という）が表示される。入力部２は、ユーザの要求を入力するために、複数のテンキー、矢印キー及び決定キーを有する。詳細は図示を省略する。
【００１７】
メニュー設定情報は、画像形成装置１００に関してユーザが設定した各種設定情報である。例えば用紙関係では、用紙サイズ、用紙種類、用紙厚等がある。メニュー設定情報は、ユーザの操作によって、表示部３に表示することが可能であり、また画像形成部１５により用紙に印刷することも可能である。メニュー設定情報は英語又は日本語で表示又は印刷される。
【００１８】
本実施の形態では、表示部３に表示するメニュー設定情報はメニュー表示情報格納部６に格納され、一方、画像形成部１５により印刷するメニュー設定情報はメニュー印刷情報格納部１２に格納される。メニュー印刷情報格納部１２は、英語及び日本語によるメニュー設定情報とともに、英語の文字を使用して日本語の発音を表記したヘボン式ローマ字を用いた所定の単語によるメニュー設定情報を有する。
【００１９】
図３は、第１の実施の形態に関するメニュー表示情報格納部の構成を示した説明図である。メニュー表示情報格納部６は、メニューとして表示するアイテム／セレクションを一意に定義したメニュー文字列ＩＤ情報を格納するメニュー文字列ＩＤ情報欄３１と、メニュー文字列ＩＤ情報に対応する英語及び日本語（カナ）に相当するメニュー表示文字列情報を格納するメニュー表示文字列情報欄３２から構成される。更に、メニュー表示文字列情報欄３２は「Ｐａｐｅｒ  Ｓｅｔｕｐ」等を格納した英語欄３３と、「ヨウシ  セッテイ」等を格納した日本語（カナ）欄３４からなる。
【００２０】
一方、図４は第１の実施の形態に関するメニュー印刷情報格納部の構成を示した説明図である。メニュー印刷情報格納部１２は、前記メニュー文字列ＩＤ情報を格納するメニュー文字列ＩＤ情報欄３１と、メニュー文字列ＩＤ情報に対応する英語、ヘボン式ローマ字及び日本語（漢字）に相当するメニュー印刷文字列情報を格納するメニュー印刷文字列情報欄３５から構成される。メニュー印刷文字列情報欄３５は、「Ｐａｐｅｒ  Ｓｅｔｕｐ」等を格納した英語欄３３と、「ＹＯＵＳＨＩ  ＮＯ  ＳＥＴＴＥＩ」等を格納したヘボン式ローマ字欄３６及び「用紙設定」等を格納した日本語欄３７からなる。
【００２１】
次に、動作について説明する。まず、図５を用いて第１の実施の形態に関するメニュー設定処理について説明する。図５は第１の実施の形態に関するメニュー制御部におけるメニュー設定処理を示すフローチャートである。
Ｓ１０１：表示入力制御部４は、ユーザによる入力部２を介したメニュー設定画面の表示の要求を受けると、メニュー制御部５に対してメニュー設定処理を実行するよう指示する。メニュー設定処理を指示されたメニュー制御部５は、後述するように表示するアイテム２１を決定して、そのアイテム２１に該当するセレクション２２を決定するために、まずメニュー設定記録部８から現在の設定値を読み出す。
【００２２】
Ｓ１０２：メニュー制御部５は、読出した設定値をもとに表示するアイテム２１とセレクション２２のメニュー文字列ＩＤ（前記メニュー文字列ＩＤ情報欄３１参照）を決定する。例えば、表示するアイテム２１のメニュー文字列ＩＤが「ＩＴＥＭ＿ＰＡＰＥＲ＿ＳＩＺＥ＿ＣＨＲ＿ＩＤ」（前記メニュー文字列ＩＤ情報欄３１参照）とし、セレクション２２のメニュー文字列ＩＤが「ＳＥＬＥＣＴＩＯＮ＿Ａ４＿ＣＨＲ＿ＩＤ」と決定したとする。
【００２３】
Ｓ１０３：メニュー制御部５は、決定したメニュー文字列ＩＤをもとにメニュー表示情報格納部６からメニュー表示文字列情報欄３２における該当するアイテム２１とセレクション２２の文字列を生成する。例えば、アイテム２１についての文字列は、英語欄３３からは「Ｐａｐｅｒ  Ｓｉｚｅ」が生成され、日本語（カナ）欄３４からは「ヨウシ  サイズ」が生成される（図３参照）。また、セレクション２２についての文字列は、英語欄３３及び日本語（カナ）欄３４ともに「Ａ４」が生成される。
【００２４】
Ｓ１０４：表示入力制御部４は、表示部３に対して、生成した文字列を現在の設定値として表示するよう指示する。
Ｓ１０５：表示入力制御部４は、入力部２に対してユーザからの入力指示を監視するよう指示する。即ち、表示入力制御部４は、入力指示待ちとなる。
Ｓ１０６：その後、表示入力制御部４は、入力部２からユーザの入力指示を受けたことを認識すると、その入力指示がどのような要求であったかを判断する。その要求が、次のアイテム２１の表示要求であるときは、ステップ１０７へ移行し、そうでないときはステップ１０８へ移行する。
【００２５】
Ｓ１０７：その要求が、次のアイテム２１の表示要求であるときは、表示入力制御部４は、入力部２に対して、表示するアイテム２１を次に進めるよう指示する。そして、ステップ１０１へ戻る。
Ｓ１０８：ステップ１０６において認識した要求が次のアイテム表示要求でない場合、表示入力制御部４は、ステップ１０５における入力部２からのユーザの入力指示が、次のセレクション２２の表示要求であるかどうか判断する。
Ｓ１０９：ステップ１０８において、次のセレクション表示要求であった場合、表示入力制御部４は、入力部２に対して、表示するセレクション２２を次に進めるよう指示する。そして、ステップ１０３へ移行する。
【００２６】
Ｓ１１０：ステップ１０８において、入力部２からのユーザの入力指示が次のセレクション表示要求でない場合、表示入力制御部４は、表示しているセレクション２２への設定値の変更かどうか判断する。
Ｓ１１１：表示しているセレクション２２への設定値の変更の場合、表示入力制御部４はメニュー制御部５に対し、メニュー設定記録部８の内容について表示しているセレクション２２に相当する設定値に更新するよう指示する。そして、ステップ１０３へ移行する。
Ｓ１１２：表示入力制御部４は、ステップ１０５における入力部２からのユーザの入力指示による要求が、終了であるかどうか判断する。終了であるときは本処理を終了する。それ以外のときは、何もせずユーザからの入力指示を監視するステップ１０５に戻る。
【００２７】
次に、図６により、表示部３にメニューを表示するためのメニュー表示文字列生成処理（Ｓ１０３）を説明する。図６は第１の実施の形態に関するメニュー設定処理におけるメニュー表示文字列生成処理を示すフローチャートである。
Ｓ１２０：前記ステップ１０３におけるメニュー表示文字列の生成処理において、メニュー制御部５は、言語特定手段としてのメニュー設定記録部８に対し、英語又は日本語からなる表示言語として設定されている前記表示言語設定情報を読み出すよう指示する。
【００２８】
Ｓ１２１：メニュー制御部５は、表示言語設定情報が日本語であるかどうか判断する。
Ｓ１２２：表示言語設定情報が日本語でない場合は、メニュー制御部５は、表示部３に表示するメニュー表示文字列情報（メニュー表示文字列情報欄３２参照）を英語に設定する。
Ｓ１２３：表示言語設定情報が日本語であった場合は、メニュー制御部５は、表示部３に表示するメニュー表示文字列情報（メニュー表示文字列情報欄３２参照）を日本語に設定する。
【００２９】
Ｓ１２４：その後、メニュー制御部５は、メニュー文字列ＩＤ情報欄３１のメニュー文字列ＩＤと、ステップ１２２又は１２３により決定された英語又は日本語からなる前記メニュー表示文字列情報をもとに、メニュー表示文字列情報格納部６の該当する英語欄３３又は日本語欄３４のメニュー表示文字列を決定する。更に、メニュー制御部５は、メニュー表示用のフォントを格納した表示用フォント７からメニュー表示データを生成する。
【００３０】
次に、図７を用いて画像形成部１５にてメニュー印刷を行うためのメニュー印刷処理について説明する。図７は第１の実施の形態に関する画像形成装置のメイン制御部におけるメニュー印刷処理を示すフローチャートである。
Ｓ２０１：メイン制御部１０はユーザからメニュー印刷指示を受けると、メニュー印刷データ生成部１１に対して、メニュー設定情報の印刷データを生成するよう指示する。
【００３１】
Ｓ２０２：その後、メニュー印刷データ生成部１１からメニュー設定情報の印刷データが生成されると、メイン制御部１０は画像形成部１５に対して印刷を行うよう指示する。印刷指示された画像形成部１５は、渡されたメニュー設定情報の印刷データを用紙に印刷する。
【００３２】
次に、図８を用いてメニュー印刷データ生成部１１におけるメニュー印刷データ生成処理（Ｓ２０１）を説明する。図８は第１の実施の形態に関するメニュー印刷データ生成部におけるメニュー印刷データ生成処理を示すフローチャートである。
Ｓ３０１：ステップ２０１におけるメニュー設定情報の印刷データ生成処理において、メニュー印刷データ生成部１１は、言語特定手段としてのメニュー設定記録部８に対し、前記表示言語設定情報を読み出すよう指示する。
【００３３】
Ｓ３０２：メニュー印刷データ生成部１１は、表示言語設定情報が日本語であるかどうか判断する。
Ｓ３０３：表示言語設定情報が日本語でない場合は、メニュー印刷データ生成部１１は、メニュー印刷文字列情報（メニュー印刷文字列情報欄３５参照）を英語に設定する。
Ｓ３０４：表示言語設定情報が日本語であった場合は、メニュー印刷データ生成部１１は、画像形成装置１００に日本語印刷用フォント１４が実装されているかどうかを確認する。
【００３４】
Ｓ３０５：画像形成装置１００に日本語印刷用フォント１４が実装されていた場合はステップ３０６へ移行し、日本語印刷用フォント１４が実装されていない場合はステップ３０７へ移行する。
Ｓ３０６：画像形成装置１００に日本語印刷用フォント１４が実装されていた場合、メニュー印刷データ生成部１１は、メニュー印刷文字列情報を漢字に設定する。
Ｓ３０７：画像形成装置１００に日本語印刷用フォント１４が実装されていない場合、メニュー印刷データ生成部１１は、メニュー印刷文字列情報をヘボン式ローマ字に設定する。
【００３５】
Ｓ３０８：メニュー印刷データ生成部１１は、印刷データを生成しようとするアイテム２１に該当するセレクション２２を決定するため、現在の設定値をメニュー設定記録部８から読み出す。
Ｓ３０９：メニュー印刷データ生成部１１は、読み出した設定値をもとに印刷データを生成するアイテム２１とセレクション２２のメニュー文字ＩＤを決定する。
Ｓ３１０：メニュー印刷データ生成部１１は、決定したメニュー文字ＩＤと決定された前記メニュー印刷文字列情報をもとにメニュー印刷情報格納部１２から該当するアイテム２１とセレクション２２の文字列を決定し、英語印刷用フォント１３又は日本語印刷用フォント１４に基づいて印刷データを生成する。
【００３６】
Ｓ３１１：次に、メニュー印刷データ生成部１１は、残りのアイテム２１があるかチェックする。
Ｓ３１２：残りのアイテムがある場合は、次のアイテムへ進める。そして、Ｓ３０８へ移行する。残りのアイテムがない場合は本処理を終了する。
【００３７】
本処理のステップ３０３において、メニュー印刷文字列情報（メニュー印刷文字列情報欄３５参照）が英語に決定された場合は、図９に示す印刷結果となる。図９は第１の実施の形態に関する表示言語設定情報にて、英語が設定されたときのメニュー印刷結果の例を示す説明図である。アイテム２１には「Ｐａｐｅｒ  Ｓｉｚｅ」等が表示され、セレクション２２には「ＰＯＳＴ  ＣＡＲＤ」等が表示される。
【００３８】
また、ステップ３０６において、メニュー印刷文字列情報が日本語に決定され、日本語に設定された日本語印刷用フォント１４がある場合は、図１０に示す印刷結果となる。図１０は第１の実施の形態に関する表示言語設定情報にて、日本語が設定され日本語印刷用フォント１４ありのときのメニュー印刷結果の例を示す説明図である。アイテム２１には「用紙サイズ」等が表示され、セレクション２２には「はがき」等が表示される。
【００３９】
更に、ステップ３０７において、メニュー印刷文字列情報が日本語に決定され、日本語に設定された日本語印刷用フォント１４がない場合は、ヘボン式ローマ字に決定され、図１１に示す印刷結果となる。図１１は第１の実施の形態に関する表示言語設定情報にて、日本語が設定され日本語印刷用フォント１４なしのときのメニュー印刷結果の例を示す説明図である。アイテム２１には「ＹＯＵＳＨＩ  ＮＯ  ＯＨＫＩＳＡ」等が表示され、セレクション２２には「ＨＡＧＡＫＩ」等が表示される。
【００４０】
以上のように、第１の実施の形態によれば、表示言語設定として日本語が選択され、日本語印刷用フォント１４が存在しない場合、ヘボン式ローマ字で構成されたメニュー印刷情報の印刷をすることにより、ゴミ印刷による用紙の無駄を防ぐことができるという効果が得られる。また、ヘボン式ローマ字でメニュー情報が印刷されるので、英語が分からないユーザでもローマ字は理解できる場合が多いので、設定の内容が容易に理解できるという効果も得られる。
【００４１】
本実施の形態では、ヘボン（Ｈｅｐｂｕｒｎ）式ローマ字を例に説明したが、これに限らない。本来、ヘボン式ローマ字の表記するルールは、日本語の発音をローマ字で表記するためのルールである。我が国では近年、ヘボン式ローマ字の他に訓令式ローマ字も広く使われている。訓令式ローマ字であっても本発明を適用可能である。
【００４２】
本実施の形態では、言語設定として英語、日本語及びヘボン式ローマ字の３つの言語の関係で説明したがこれに限らない。即ち、外国語、自国語及び外国語の文字を使用して自国語の発音を表記した単語の３つの言語の関係でもよい。その場合、画像形成装置１００に自国語の文字フォントがないとき、外国語の文字フォントによって自国語の発音を表記した単語により、メニュー設定情報の印刷データを生成すれば、本発明は適用可能となる。
【００４３】
逆に、自国語、外国語及び自国語の文字を使用して外国語の発音を表記した単語の３つの言語の関係でもよい。その場合は、画像形成装置１００に外国語の文字フォントがないとき、自国語の文字フォントによって外国語の発音を表記した単語により、メニュー設定情報の印刷データを生成すれば、本発明は適用可能となる。
【００４４】
更に、Ａ国語、Ｂ国語及びＡ国語の文字を使用してＢ国語の発音を表記した単語の３つの言語の関係でもよい。その場合、画像形成装置１００にＢ国語の文字フォントがないとき、Ａ国語の文字フォントによってＢ国語の発音を表記した単語により、メニュー設定情報の印刷データを生成すれば、本発明は適用可能である。
【符号の説明】
【００４５】
１        表示入力部
２        入力部
３        表示部
４        表示入力制御部
５        メニュー制御部
６        メニュー表示情報格納部
７        表示用フォント
８        メニュー設定記録部
１０      メイン制御部
１１      メニュー印刷データ生成部
１２      メニュー印刷情報格納部
１３      英語印刷用フォント
１４      日本語印刷用フォント
１５      画像形成部
２０      タイトル表示
２１      メニュー項目（アイテム）
２２      設定値（セレクション）
３１      メニュー文字列ＩＤ情報欄
３２      メニュー表示文字列情報欄
３５      メニュー印刷文字列情報欄
１００    画像形成装置
【図１】
2015205501.tif 000003
【図２】
2015205501.tif 000004
【図３】
2015205501.tif 000005
【図４】
2015205501.tif 000006
【図５】
2015205501.tif 000007
【図６】
2015205501.tif 000008
【図７】
2015205501.tif 000009
【図８】
2015205501.tif 000010
【図９】
2015205501.tif 000011
【図１０】
2015205501.tif 000012
【図１１】
2015205501.tif 000013